(57)【特許請求の範囲】
【請求項１】
灯具を備えた自動車用バンパーであって、
上壁部、縦壁部及び底壁部を有する断面略コの字状のバンパー本体と、
該バンパー本体に表側から取り付けられるバンパーカバーとを備え、
上記バンパー本体の縦壁部には、該バンパー本体裏側に凹陥してバンパー本体と一体に形成されている灯具格納凹部周りを大型の灯具を取り付けるために大きく切り取ることで灯具格納口が開口され、
該灯具格納口の周縁には、上記バンパー本体とは別体の有底の灯具取付用凹状ブラケット外周縁が取り付けられ、
上記バンパーカバーの裏面には、上記灯具が挿入される灯具挿入口を構成する環状灯具挿入部が一体に突設され、
上記バンパーカバーをバンパー本体に取り付けた状態で、上記灯具挿入部の先端が上記ブラケットの凹状部内に延出して上記灯具挿入口が上記灯具格納口に対応するとともに、
上記灯具挿入部が少なくともバンパー本体の灯具格納口周縁とブラケット外周縁との取付部を覆うようになっていることを特徴とする自動車用バンパー。
【請求項２】
請求項１に記載の自動車用バンパーにおいて、
バンパー本体の上壁部とブラケットとの間には、上記上壁部の下方への撓みを阻止する補強部材が設けられていることを特徴とする自動車用バンパー。
【請求項３】
請求項１又は２に記載の自動車用バンパーにおいて、
灯具はフォグランプであり、バンパーカバーはフロントエアダムであることを特徴とする自動車用バンパー。
【発明の詳細な説明】
【０００１】
【発明の属する技術分野】
この発明は、灯具を備えた自動車用バンパーの改良に関し、特にバンパーのデザイン対策に関するものである。
【０００２】
【従来の技術】
灯具を備えた自動車用バンパーとして、断面略コの字状の灯具格納凹部がバンパー本体裏側に凹陥して一体に形成されているバンパーがある。
【０００３】
一方、自動車の走行抵抗を少なくするためにエアダムがバンパー本体に取り付けられたバンパーもある（特開平１１−１３９３５３号公報参照）。
【０００４】
【発明が解決しようとする課題】
ところで、車体のイメージを変えるために灯具を大型のものに取り替えることがある。
この場合、上記の前者のバンパーでは、灯具格納凹部がバンパー本体と一体に形成されていることから、このままでは灯具を灯具格納凹部に格納することができず、バンパー本体を灯具格納凹部の大きいものに新規に成形する必要が生じて経費が掛かる。
【０００５】
一方、後者のバンパーにおいても、車体のイメージを変えるためにエアダムのデザインを変える場合があり、この場合にも灯具の形状が変わると、上記と同様に灯具を灯具格納凹部に格納することができなくなる。
【０００６】
この発明はかかる点に鑑みてなされたものであり、その目的とするところは、バンパー本体を新規に成形することなく外観の異なったバンパーにイメージチェンジすることである。
【０００７】
【課題を解決するための手段】
上記の目的を達成するため、この発明は、灯具格納凹部をバンパー本体と別体にしたことを特徴とする。
【０００８】
具体的には、この発明は、灯具を備えた自動車用バンパーを対象とし、次のような解決手段を講じた。
【０００９】
すなわち、請求項１に記載の発明は、上壁部、縦壁部及び底壁部を有する断面略コの字状のバンパー本体と、該バンパー本体に表側から取り付けられるバンパーカバーとを備え、上記バンパー本体の縦壁部には、該バンパー本体裏側に凹陥してバンパー本体と一体に形成されている灯具格納凹部周りを大型の灯具を取り付けるために大きく切り取ることで灯具格納口が開口され、該灯具格納口の周縁には、上記バンパー本体とは別体の有底の灯具取付用凹状ブラケット外周縁が取り付けられ、上記バンパーカバーの裏面には、上記灯具が挿入される灯具挿入口を構成する環状灯具挿入部が一体に突設され、上記バンパーカバーをバンパー本体に取り付けた状態で、上記灯具挿入部の先端が上記ブラケットの凹状部内に延出して上記灯具挿入口が上記灯具格納口に対応するとともに、上記灯具挿入部が少なくともバンパー本体の灯具格納口周縁とブラケット外周縁との取付部を覆うようになっていることを特徴とする。
【００１０】
上記の構成により、請求項１に記載の発明では、バンパー本体と灯具取付用凹状ブラケットとが別体であることから、大型の灯具を取り付けるためにバンパー本体の縦壁部の灯具格納凹部周りを大きく切り取っても、この切取箇所の大きさに合った灯具取付用凹状ブラケットを用意することで大型の灯具がバンパー本体に取付け可能になる。さらに、バンパー本体の灯具格納口周縁とブラケット外周縁との取付部がバンパーカバーの灯具挿入部で覆い隠されて外部から見えず、見栄えを損なわない。したがって、バンパー本体を新規に成形することなく、安価でしかも見栄えの良い外観の異なったバンパーへとイメージチェンジされる。
【００１１】
請求項２に記載の発明は、請求項１に記載の発明において、バンパー本体の上壁部とブラケットとの間には、上記上壁部の下方への撓みを阻止する補強部材が設けられていることを特徴とする。
【００１２】
バンパー本体の上壁部が補強部材で支えられて下方に撓まず、該上壁部の支持剛性が確保される。
【００１３】
請求項３に記載の発明は、請求項１又は２に記載の発明において、灯具はフォグランプであり、バンパーカバーはフロントエアダムであることを特徴とする。
【００１４】
上記の構成により、請求項３に記載の発明では、バンパーがフロントバンパーであることが明示される。
【００１５】
【発明の実施の形態】
以下、この発明の実施の形態について図面に基づいて説明する。
【００１６】
図１及び図４はこの発明の実施の形態に係る自動車用バンパーとしてのフロントバンパー１を示す。このフロントバンパー１は、上壁部３、縦壁部５及び底壁部７を有する断面略コの字状に射出成形された樹脂製のバンパー本体９と、バンパーカバーとしての真空成形された樹脂製のフロントエアダム１１とを備えている。このフロントエアダム１１裏面の外周縁には、複数のブラケット１３（図１に１つのみ現れる）が所定間隔をあけて取り付けられ、これらブラケット１３にはファスナ１５がそれぞれ１つずつ取り付けられ、このファスナ１５を上記バンパー本体９に穿設された取付孔に挿入係止させることにより、フロントエアダム１１がバンパー本体９に表側から取り付けられている。
【００１７】
上記バンパー本体９の車幅方向両端寄りの縦壁部５には、灯具格納口としてのフォグランプ格納口１７が略矩形に開口され、各々のフォグランプ格納口１７の上方にはヘッドランプ格納口１９が略矩形に開口されている。上記フォグランプ格納口１７は、バンパー本体９裏側に凹陥してバンパー本体９と一体に形成されている灯具格納凹部（図示せず）周りを大型の灯具としてのフォグランプ３９を取り付けるために大きく切り取ることで開口されている。上記フォグランプ格納口１７周縁の裏面には、図２にも示すように、上記バンパー本体９とは別体の灯具取付用凹状ブラケットとしてのフォグランプ取付用凹状ブラケット２９が取り付けられている。このブラケット２９は、上壁部２１、側壁部２３、下壁部２５及び底壁部２７により車体前方から見て矩形でかつ縦断面略コの字状の有底形状であり、その外周縁にはフランジ３３が形成され、該フランジ３３表面をバンパー本体９裏側から上記フォグランプ格納口１７周縁の裏面に当接させてフランジ３３に穿設された取付孔３３ａにリベット３５を挿入することで、ブラケット２９がフォグランプ格納口１７周縁に取り付けられている。上記ブラケット２９の上壁部２１の一側端寄りには、断面コの字状の当て座２１ａが一体に突設されている。なお、この当て座２１ａはブラケット２９と別体成形し、ブラケット２９に接着するようにしてもよい。また、上記ブラケット２９の底壁部２７にはボルト挿入孔（図示せず）が開設され、フォグランプ３９がその底部に突設されたボルト４１を上記ボルト挿入孔に挿入し、ボルト４１にナット３７をバンパー本体９裏側から螺合させることでブラケット２９に取り付けられるようになっている。
【００１８】
上記ブラケット２９の上壁部２１とバンパー本体９の上壁部３との間には、補強部材４３が配置されている。この補強部材４３は、図３にも示すように、一対の略直角三角形状の側壁部４３ａと、該両側壁部４３ａのバンパー本体９側傾斜部を一体に連結する前壁部４３ｂと、該前壁部４３ｂ上端から車体後方に水平に延設された延設部４３ｃとが一体に成形されて構成されている。そして、上記補強部材４３上端の延設部４３ｃはバンパー本体９の上壁部３裏面に当接し、上記両側壁部４３ａの下端面はブラケット２９の上壁部２１に当接しているとともに、上記前壁部４３ｂの下端寄りはバンパー本体９の縦壁部５裏面に一体に突設されたリブ４５に振動溶着等により固定されている。
【００１９】
一方、上記フロントエアダム１１の裏面には、略矩形環状フォグランプ挿入部４７が上記フォグランプ格納口１７に対応して一体に突設され、このフォグランプ挿入部４７により、上記フォグランプ３９が挿入される灯具挿入口としての略矩形のフォグランプ挿入口４９を構成している。そして、上記フロントエアダム１１をバンパー本体９に取り付けた状態で、上記フォグランプ挿入口４９の先端が上記ブラケット２９の凹状部内に延出して上記フォグランプ格納口１７に対応するとともに、フロントエアダム１１のフォグランプ挿入部４７がバンパー本体９のフォグランプ格納口１７周縁と上記ブラケット２９外周縁との取付部であるリベット３５部分を覆って該取付部が外部から見えないようになっている。図４中、５１はエンジンルームにエアを導入するエア導入口、５３はナンバープレートを取り付けるナンバープレート取付部である。
【００２０】
このように、この実施の形態では、バンパー本体９とフォグランプ取付用凹状ブラケット２９とを別体に構成していることから、従来のフォグランプ格納凹部がバンパー本体と一体になっているフロントバンパーにおいて、イメージチェンジを狙って大型のフォグランプ３９を取り付けるためにバンパー本体９の縦壁部５のフォグランプ格納凹部周りを大きく切り取っても、この切取箇所の大きさに合ったフォグランプ取付用凹状ブラケット２９を用意することで大型のフォグランプ３９をバンパー本体９に取り付けることができる。
【００２１】
しかも、バンパー本体９の上壁部３と上記ブラケット２９の上壁部２１との間に設けられた補強部材４３により、バンパー本体９の上壁部３が下方へ撓まず、上記上壁部３の支持剛性を確保することができる。この際、補強部材４３をブラケット２９側の当て座２１ａで倒れないように安定支持しているので、上記バンパー本体９の上壁部３の撓み阻止を担保することができる。
【００２２】
さらに、バンパー本体９のフォグランプ格納口１７周縁とブラケット２９外周縁との取付部をフロントエアダム１１のフォグランプ挿入部４７で覆って外部から見えないようにしているので、見栄えを向上させることができる。
【００２３】
したがって、射出成形により高価なバンパー本体９を新規に成形することなく、真空成形による安価なフロントエアダム１１をバンパー本体９の前面に取り付けたことにより、見栄えの良い外観の異なったフロントバンパー１へとイメージチェンジを図ることができる。
【００２４】
なお、上記の実施の形態では、当て座２１ａをブラケット２９の上壁部２１に１つだけ設けたが、２つ以上設けてもよい。また、当て座を補強部材４３の側壁部４３ａに一体成形してもよいが、バンパー本体９の縦壁部５のフォグランプ格納凹部周りを切り取った際、上記補強部材４３の下端側が一緒に切り取られる場合を考慮して、新たに取り付ける大型のフォグランプ３９の形状に対応するような位置に形成することもできる。
【００２５】
また、上記の実施の形態では、ブラケット２９をバンパー本体９に取り付ける際、ブラケット２９のフランジ３３表面をバンパー本体９の裏側からフォグランプ格納口１７周縁の裏面に当接させるようにしたが、これとは逆に、ブラケット２９をバンパー本体９の表側からフォグランプ格納口１７に挿入してブラケット２９のフランジ３３裏面をフォグランプ格納口１７周縁の表面に当接させるようにしてもよい。
【００２６】
さらに、上記の実施の形態では、ブラケット２９を上壁部２１、側壁部２３、下壁部２５及び底壁部２７を有する断面略コの字状の有底としたが、上記側壁部２３がなく側面視で略コの字状の形状のブラケットであってもよく、また、底壁部２７を中程を残してその両側に貫通孔を形成し、上記中程の底壁部２７にフォグランプ３９を取り付けるようにしてもよい。また、ブラケット２９の形状は、車体前方から見て矩形である実施形態以外に円形であってもよい。
【００２７】
また、上記の実施の形態では、灯具としてフォグランプ３９を例示したが、これ以外の灯具たとえば小型の投光灯であってもよい。さらに、バンパーカバーはフロントエアダム１１ではなく、バンパーモールであってもよい。
【００２８】
さらにまた、上記の実施の形態では、パンバーとしてフロントバンパー１を例示したが、リヤバンパーにも適用することができるものである。
【００２９】
【発明の効果】
以上説明したように、この発明によれば、バンパー本体と灯具取付用凹状ブラケットとを別体にしたので、大型の灯具を取り付けるためにバンパー本体の縦壁部の灯具格納凹部周りを大きく切り取っても、この切取箇所の大きさに合った灯具取付用凹状ブラケットを用意することで大型の灯具をバンパー本体に取り付けることができる。さらに、ブラケット取付箇所を外部から見えないようにバンパーカバーで覆い隠して見栄えを向上させることができる。したがって、バンパー本体を新規に成形することなく、安価で見栄えの良い外観の異なったバンパーにイメージチェンジすることができる。
【図面の簡単な説明】
【図１】  図４のＩ−Ｉ線における断面図である。
【図２】  ブラケットの斜視図である。
【図３】  図１のＡ矢視図である。
【図４】  この発明の実施の形態に係るフロントバンパーの正面図である。
【符号の説明】
１              フロントバンパー
３              上壁部
５              縦壁部
７              底壁部
９              バンパー本体
１１              フロントエアダム（バンパーカバー）
１７              フォグランプ格納口（灯具格納口）
２９              ブラケット
３９              フォグランプ（灯具）
４３              補強部材
４９              フォグランプ挿入口（灯具挿入口）
【図１】
0003839282.tif 000002
【図２】
0003839282.tif 000003
【図３】
0003839282.tif 000004
【図４】
0003839282.tif 000005